(57)【要約】【課題】変更可能な標識を備えたユーザ入力デバイスを有する装置を提供する。【解決手段】当該製作物に特異的な所定のデータ項目または機能を意味している複数の手作動可能なキー（２０、２２、２４、２６）を備えた一体型ユーザ入力デバイス（１０）のキーを作動させることによってデータが入力され、機能が実行される。選択した複数のキーが意味するデータ項目または機能を示すように選択した複数のキーと関連付けされている標識を形成するためにｅ−インク（４８）を使用する。キー用の視覚的に知覚可能な標識（５２）はある言語に設定されており、またこれを当該言語の標識から別の言語の標識に変更することが可能である。これによって、様々な言語でラベル付けしたキー（２０、２２、２４、２６）による製作物の操作が可能となる。【選択図】図１
2007280386.tif 000002
【特許請求の範囲】
【請求項１】
製作物（１２）と、
前記製作物と一体になっていると共に複数のキー（２０、２２、２４、２６）及びインジケータ（２８）を有するユーザ入力デバイス（１０）であって、該デバイスの複数のキーのそれぞれは該製作物の所定のデータ項目または機能を意味しており、該デバイスのキーを作動させることによって該データが入力されるあるいは機能が実行されているユーザ入力デバイス（１０）と、
前記デバイスのキーを形成させる複数の手作動可能な素子（４２）と、
前記デバイスの視覚的に知覚可能なインジケータ（２８）を形成させる複数の素子と、
少なくとも選択した複数の前記キー及び／またはインジケータと関連付けさせており、該選択したキーのそれぞれに関する該キーが意味するデータ項目または機能を示す視覚的に知覚可能な標識、及び／または該インジケータのそれぞれの種類に関する視覚的に知覚可能な標識を提供するための標識手段（５２）と、
前記視覚的に知覚可能な標識を所与の言語で使用するための形式で設定するための手段（９０）と、
前記選択した複数のキー及び／またはインジケータに関する標識を、ある言語での使用に適した形式から別の言語での使用に適した形式に変更するための手段（９２）と、
を備える装置。
【請求項２】
前記標識手段（５２）は前記デバイスのキーに付着させている、請求項１に記載の装置。
【請求項３】
前記標識手段（５２）は前記デバイスのキーに個別に付着させるか、あるいは単一構造として付着させている、請求項２に記載の装置。
【請求項４】
前記標識手段（５２、５２ａ）は前記キーまたはインジケータの近傍で標識を提供している、請求項１に記載の装置。
【請求項５】
前記標識手段は電子インク手段（５０）または液晶ディスプレイ手段（５２ｂ）を含む、請求項１に記載の装置。
【請求項６】
前記標識手段（５２）は電気的に動作可能であり、かつ前記標識手段は電気出力がオフのときにも前記標識を視覚で知覚可能な形式に維持している、請求項１に記載の装置。
【請求項７】
前記標識を変更するための前記手段（９２）は前記製作物の一部を成している、請求項１に記載の装置。
【請求項８】
前記ユーザ入力デバイス（１０）はキーボードを含む、請求項１に記載の装置。
【請求項９】
前記製作物（１２）は医用装置を含む、請求項１に記載の装置。
【請求項１０】
前記標識を変更するための前記手段（９２）は前記製作物の一部を成している、請求項１に記載の装置。
【発明の詳細な説明】
【技術分野】
【０００１】
本発明は、キーまたはインジケータに関する標識の特定を変更することが可能であるような一体型キーボードなどのユーザ入力デバイスを有する装置に関する。一例としてこの標識の変更は、標識を表現する言語を変更するため、すなわちその標識をある言語で使用されるものから別の言語で使用されるものに変更するために行われることがある。
【背景技術】
【０００２】
成長を続ける国際的でグローバルな経済では、製作物はひとたび製造されると、異なる言語をもつ多くの異なる国や地域で販売できることが望ましい。この点に関する限界が見られる分野の１つはキーボードなどのユーザインタフェース・デバイスを有する製作物の分野である。世界中で多くの電子製作物が製造され、販売され、かつ稼働している。しかし、こうした製作物のユーザインタフェース・デバイスは、ローカルマーケットに適した言語のラベルを付けたキーやインジケータなどの操作用部品によって構成させることが必要である。
【０００３】
多数の異なる言語を必要とする幾つかの電子製作物の世界的普及に関しては、多言語によるインタフェースを備えた装置を製造するため、並びに様々なマーケットにおける需要を満たす適正にラベル付けしたキーボードを備えるように装置の適正な供給レベルを維持するためには多くの企画立案及びコストを要するため、製作物の管理及び在庫抑制において問題が生じる。さらに、ひとたび製作物が製造され構成されてある特定の国に発送された後は、当該製作物を別の国に移転することが可能ではない（その理由は、この製作物インタフェースの言語が新たな目的箇所で使用する言語と異なるためである）。さらに、所与の国または地域においてある製作物を操作したいと希望する人が当該の国／地域の言語に熟達していない場合、インタフェースが当該国の言語でラベル付けされていてオペレータが熟達している言語によるものでないため、この人はこの製作物の操作能力に劣るまたは不可能となることになる。インタフェースや入力部品のラベル付けが適当でないことに由来する製作物の不適正な操作によって受傷や損傷を生ずることがある。
【０００４】
相互変更可能な機能及び対応するラベルを有するキーを備えたデータ入力及びインタフェース・デバイスを有する電子製作物が存在している。しかしこれらは典型的には、米国特許第５，０５９，９６０号及び同第５，７２４，０６９号の教示に従った「ソフトキー」の使用に限定されている。「ソフトキー」とは一般に、インタフェース・デバイス内のディスプレイの周辺部の近傍にあるマークのないボタンのことを指す。ディスプレイの隣接部分にあるラベルは、そのボタンの目下の機能を示している。ボタンの機能が変わると、ディスプレイ内のラベルが変化する。
【０００５】
しかし、ディスプレイの周辺部の近くに配置させねばならないために大部分の製作物がサポートできるソフトキーの数は少ないため、ソフトキーでは上で指摘した問題に対処する能力に限界がある。この数は、ユーザインタフェースや入力デバイスとして多く利用されているＱＷＥＲＴＹスタイルのフルキーボードで必要となるキーの要求される数の３０〜８０と比べてかなり少ない。さらに、ソフトキーによる解決法では、利用可能なスペースをもった視覚表示システムを有しない電子デバイスで使用するために多言語をサポートできるユーザ入力デバイスに対する要求には対処できていない。
【０００６】
ソフトキー方式に対する代替手段が、ディスプレイの周辺部ではなく感圧式オーバーレイをディスプレイ上に装着した電話機セットを記述している米国特許第５，４５９，７７６号に示されている。多くのデータ入力デバイスにおいて、タッチスクリーンなどの感圧式手段がよく利用されている。下側にあるディスプレイは入力位置及び値を表示しており、一方感圧式オーバーレイは下にある表示領域にユーザが圧力をかける位置を相関させており、これによってデータ入力値、ラベルまたは位置を変更する機能を備えたユーザ入力デバイスが得られる。しかしソフトキー方式の場合と同様に、この特許の技法は、データ入力位置の数が少ないデバイスに適した技法である。
【０００７】
米国特許第５，８１８，３６１号は、ある種のキーが小型の液晶ディスプレイ（ＬＣＤ）や別のタイプのディスプレイを含むようなコンピュータ・キーボードを示している。こうしたキーの機能は変更可能であり、またキーの機能を変更すると表示も変更される。公開されている米国特許出願公開第２００２／０１４９５６８号は、キーの機能が当該キーの液晶ディスプレイが変更されても同じままであるようなコンピュータ・キーボードを示している。
【特許文献１】米国特許第５，０５９，９６０号
【特許文献２】米国特許第５，７２４，０６９号
【特許文献３】米国特許第５，４５９，７７６号
【特許文献４】米国特許第５，８１８，３６１号
【特許文献５】米国特許出願公開第２００２／０１４９５６８号
【発明の開示】
【発明が解決しようとする課題】
【０００８】
上述した理由のため、キーボードの所定のデータ項目または機能を意味するキーまたはボタンに対する英数字や別の標識を多くの言語のうちの任意の１つに合わせてあるいは異なる言語のキャラクタ文字に合わせて選択できるようなユーザデータ入力インタフェースまたは入力デバイスを有する製作物があること、並びにこうした選択が製造者ではなくユーザによって容易にかつ簡単に実行できることが望ましい。さらに、変更可能標識のこうしたインタフェースまたは入力デバイスは、インタフェースまたはデバイスを電源断にしても視覚的に知覚可能な状態を維持していることが望ましい。
【課題を解決するための手段】
【０００９】
簡単に述べると、本発明の一実施形態は一体型のユーザ入力デバイスを有する装置を目的としている。この入力デバイスは英数字キーボードを備えることがあるが、本発明は典型的なキーボードと比べて有するキーが多いまたは少ないようなデバイスに適用可能である。ユーザ入力デバイスのキーのそれぞれは、医用装置など対応する製作物に特異的なデバイスの所定のデータ項目または機能を表しており、このデバイスはその装置を形成するように組み込まれている。デバイスのキーを作動させる（典型的には、押下する）ことによってデータが入力されその機能が実行される。このデバイスは膜状タイプとすることや、フルトラベル（ｆｕｌｌ  ｔｒａｖｅｌ）押しボタンタイプとすることがある。さもなければ、そのキーボードでタッチスクリーンが利用されることがある。少なくとも選択した複数のキーは、そのキーが意味するデータ項目または機能を示すと共に当該の製作物に特異的な英数字その他のキャラクタ文字を含む選択キーの各々に対する視覚的に知覚可能な標識を提供する手段を有する。
【００１０】
製作物内にある適当にプログラムされたマイクロプロセッサなどの制御子は、必要であれば所望の言語のキャラクタ文字への変更を含めある所望の言語でキーの標識を設定している。選択した複数のキーに対する標識は、以前に構築された言語からあるいはその言語のキャラクタ文字から、別の言語または別の言語の様々な英数字に変更されることがあり、これによって様々な言語でラベル付けされたキーによって製作物を操作することが可能となる。
【００１１】
これらの標識は、電子インクすなわち「ｅ−インク」の薄膜の形態で形成させることや、液晶ディスプレイを用いて形成させることがある。ｅ−インクを使用すると、デバイスがパワーオフとなっているときにもこれらの標識を維持することができる。視覚的に知覚可能な標識は、選択した複数のキーの上またはその近くに配置させることがある。
【００１２】
製作物のユーザ入力デバイスはさらに、入力デバイスのキーと関連付けされていない追加的な変更可能標識またはテキストフィールドを包含することがある。こうしたものとしては、「ＣａｐｓＬｏｃｋ」、「ＮｕｍＬｏｃｋ」、「ＳｃｒｏｌｌＬｏｃｋ」など入力デバイスに関するステータス指示、あるいは「ＰｏｗｅｒＯｎ」、「ＢａｔｔｅｒｙＬｏｗ」、「ＮｅｔｗｏｒｋＡｃｔｉｖｅ」その他などの製作物の操作関連の情報を含むことがある。
【発明を実施するための最良の形態】
【００１３】
図１は、製作物１２内に一体型のキーボード１０の形態をしたユーザ入力デバイスを組み込んでいる本発明の装置の一実施形態を表している。この製作物は典型的には心電計として表している。心電計１２は電極及びリード（図示せず）によって患者に接続される。心臓の生理学的機能に付随する電気現象がディスプレイ１４上に表示される。これはまた、紙片１６上に心電図として提供されることもある。ユーザ入力デバイス１０は、心電計１２へのデータの入力、心電計の機能の制御、並びにその操作及びステータスに関する情報の表示のために使用される。
【００１４】
図２には、ユーザ入力デバイス１０の一部分をより詳細に表している。ここに図示したキーボードは、心電計１２へのデータ入力を可能にするため及び心電計の機能を制御するために複数の圧力応答性のキーを組み込んでいる。具体的にはキーボード１０は、ＱＷＥＲＴＹキーボードを成す複数の英数字キー２０、並びにスペースキー、シフトキー、数字キー、その他などの補助キー２２を含んでいる。図１及び２では英数字キー２０を組み合わせたキーボードを表しているが、所望であれば図３に示すように別にテンキーを設けることもあることが理解されよう。キーボード１０は典型的には、ディスプレイ１４内でカーソルを移動させるための複数のカーソル制御キー２４も含む。キーボード１０には、例えばデータを収集して表示させるためのＥＣＧリードの数（６または１２）の変更、報告するデータのフォーマット設定、筋肉の運動アーチファクトのフィルタ処理、不整脈検出、患者情報、その他に関連する心電計１２の態様を制御するための機能制御キー２６も設けられている。データ入力キー及び機能制御キーに加えて、キーボードはさらに、「ＰｏｗｅｒＯｎ」、「Ｓｔａｎｄｂｙ」その他など製作物ステータスに関するインジケータ２８、あるいは図３に示すような「ＣａｐｓＬｏｃｋ」や「ＮｕｍＬｏｃｋ」などのユーザインタフェース・ステータスに関するインジケータ２８を有することがある。
【００１５】
図１及び２から分かるように、キーボード１０のこれらのキーやインジケータのそれぞれは、文字や数字、データ項目、あるいはキーが意味している「フォーマット／速度」などの機能などの標識をこれと関連付けている。これらの標識によって臨床医は所望の情報を心電計１２に入力してその操作を制御することが可能となる。
【００１６】
上で指摘したように、これらの標識は通常、ある特定の言語に特異的なものである。このために、世界経済の様々なマーケット向けに適正にラベル付けして多数の装置を製造し在庫しておくことが必要とされている。例えば、ラテン語アルファベットからの文字をラベル付けしたキーボード１０は英語やスペイン語など多くの言語向けのデータ入力に対応できるが、完全な単語を利用するファンクションキー２６やインジケータ２８のラベル付けは言語間で様々となる。ロシア語やギリシャ語などの別の言語はラテン語アルファベットと異なるアルファベットを利用している。中国語や日本語などのさらに別の言語はアルファベット文字を利用しておらず、キャラクタ文字を使用している。さらに上で指摘したように、本発明の特徴は、キー及びインジケータ向けの標識が特定の国／地域でのまたは特定のユーザによる使用に適するように変更可能であるようなユーザ入力デバイスを有する装置を提供することにある。
【００１７】
図４は、図２の線４−４に沿って切った断面図であり、そのキーを膜状圧力操作式スイッチとし得る複数の接触感応性のスイッチ４２を含む本発明の一実施形態１０Ａを表している。膜状スイッチ４２は、典型的にはスイッチ４２用のプリント回路接続基板を含むベースまたはサブストレート４４上に取り付けられている。膜状スイッチ４２はユーザによる接触作動を電気信号に変換しており、この信号はプリント回路接続基板上の導体４６を介して製作物１２に提供される。作動動作によって提供される電気信号は、キャラクタ文字や数字などの所定のデータ項目、あるいは所定の機能の製作物１２内への入力を含む。
【００１８】
キーボード１０の操作に関しては、オペレータに対してキーのそれぞれあるいはインジケータ２８の種類に由来するデータまたは機能を指示するためにキーのそれぞれごとに１つの標識を提供することが必要である。図４は、図５に示したタイプの柔軟な電子インク薄膜４８を、スイッチ４２を覆うように付着させこれによりこれらスイッチのそれぞれに対して標識５２が提供されるように表している。電子インク薄膜は同様にインジケータ２８に隣接して付着される。電子インク薄膜４８は、耐久性を付与しかつキーボード１０のサービス寿命を長くするように、所望であれば柔軟な保護層５０によって覆われることがある。
【００１９】
柔軟な薄膜４８は、プラスチック製の薄い薄膜上にプラスチック・トランジスタをプリントしており、このプラスチック・トランジスタにより制御された小さい電気的チャージを用いることによって第１の色から第２の色に変化する並びにこの元に戻るように変化する着色マイクロカプセル層を制御する際に使用するための薄膜トランジスタ（ＴＦＴ）テクノロジーを利用することがある。電子インクの一形態を、正と負のそれぞれの極性にチャージされた２つの薄膜トランジスタ層７４及び７６の間に電子インク・マイクロカプセル７２が挟み込まれるように図示した図５に表している。マイクロカプセル７２は青色または同様の配色としたインク８２で満たされており、この中には白色で電子的にチャージされた球状、チップ状または同様の素子８４を浮遊させている。
【００２０】
図５に示した例では、負にチャージされた球体８４は薄膜トランジスタ７４及び７６のチャージに合わせた反応を示す。図５ａに表したように、薄膜トランジスタ層７４は白色球体８４をマイクロカプセル７２の上側に引き寄せる正のチャージを有しており、このためカプセルは上から見ると白色に見える。逆に図５ｂでは、薄膜トランジスタ層７６が正のチャージを有しており白色球体８４が薄膜トランジスタ７６の方に引き寄せられるため、青色インク８２が現われる。これによって上から見るとマイクロカプセル７２が青色に見えることになる。この層内に薄膜トランジスタ層による操作に従った複数のマイクロカプセル７２を利用することによって、薄膜４８内に包含されたマイクロカプセルによってキー及びインジケータ向けの標識を形成することができる。薄膜トランジスタ層７４及び７６はプリント回路基板４６内の導体によって操作することが可能である。電子インク製品の製造者には目下のところ、Ｘｅｒｏｘ  Ｃｏｒｐ．及びＥ−Ｉｎｋ  Ｃｏｒｐ．が含まれる。
【００２１】
電子インク・テクノロジーの利点には、高いコントラスト、広い観察角度、及び低輝度での可読性を特徴とする優れた外観が含まれる。電子インクから形成した標識５２は、標識を変更する際、並びにパワーオフにしているときに標識の視覚的に知覚可能な形態を可能にさせる場合以外にはパワー消費が全くない。
【００２２】
図６は、本発明に組み込まれるユーザ入力デバイス１０と共に使用するための回路の全体ブロック図を表している。この回路は、電子インク薄膜４８の薄膜トランジスタを制御して標識５２を生成している。この回路は製作物１２内に見出されると共に、製作物１２内に既に存在している構成要素を使用して該製作物の別の機能や操作を実行するのが一般的である。この回路は、各スイッチ４２及びインジケータ２８の近傍に複数の言語のうちの１つによる標識５２を提供するようにトランジスタを操作するためのデータを包含した読出し専用メモリ（ＲＯＭ）８６を含む。この回路は、ユーザ入力デバイス１０の標識５２向けに複数の言語のうちの１つをデフォルト言語として選択するためにＣＰＵ９０及びメモリ８６に命令を提供する所定のデフォルト構成手段８８を有することがある。ユーザは、所定のキー操作シーケンスなどユーザ入力デバイス１０に対する適当な操作を通じて構成選択手段９２を用いて、ユーザ入力デバイス１０向けに選択された構成について新たな構成を選択する。
【００２３】
図４はユーザ入力デバイスの個々のキーを覆うように柔軟な電子インク薄膜４８を付着させている本発明の一実施形態を表している。図７に示すように、電子インク薄膜４８（また所望であれば、保護用薄膜５０）も、膜の形でユーザ入力デバイス１０Ｂの全体または一部分を覆うように付着させることができる。これによって、布や別の適当な清浄製品を用いた拭き取りなどによるデバイス１０Ｂの清浄が容易になる。
【００２４】
図８に示すように、薄膜４８についてディスプレイの一部を取り除き、これによってユーザ入力デバイス１０Ｃの複数のスイッチ４２をユーザが操作できるように露出させることも可能である。したがって、電子インク薄膜４８はユーザ入力デバイス１０Ｃ上で複数のキーを囲繞しており、また標識５２は露出させたスイッチ４２の上側に設けることも下側に設けることもできる。図８の配置によれば、薄膜４８の折れ曲がりが避けられるため薄膜の寿命が長くなる。電子インク薄膜４８は一般的に、図７に示すようにベース４４を覆った膜の形態をさせることや、個々のキー及びインジケータと関連付けした個々の素子を備えさせることがある。
【００２５】
図９は、プリント回路基板などの適当なサブストレート４４ａ上に取り付けられた押しボタンスイッチ４２ａの形態をしたキーを有するユーザ入力デバイス１０Ｄを表している。ユーザ入力デバイス１０Ｄは従来のキーボードと類似しており、またスイッチ４２ａは多くのキーボード愛好家に好まれる高度な接触フィードバックを提供している。電子インクを包含した標識５２ａ用の薄膜４８並びに保護層５０（使用している場合）は、図９に示す方式によってキーを覆うようにはめ込まれたテンプレートの形態とすることがある。
【００２６】
図８及び９に示した実施形態などの本発明の実施形態では、デフォルトの英数字や別のキャラクタ文字は、スイッチ４２、４２ａまたはインジケータ２８によって形成させたキー上に直接プリントされる、さもなければ配置されることがあり、また標識５２ａは特定の国、地域及び／またはユーザに適した別の言語でキャラクタ文字を提供するために使用されることがあることが理解されよう。
【００２７】
ユーザインタフェース・デバイス１０に対して標識５２を提供するためには、電子インクを使用する以外に、液晶ディスプレイ（ＬＣＤ）テクノロジーが使用されることもある。図１０は、図９に示したタイプのキーボードのコンテキストにおいて液晶ディスプレイ６０を用いてキースイッチ４２ｂ向けの変更可能なキー標識５２ｂを生成させている本発明の一実施形態１０Ｅを表している。ＬＣＤは、図２、３、７及び８に示したタイプのユーザ入力デバイスと一緒に使用することも可能であり、また液晶ディスプレイ６０の様々なセグメントの色を変更してキャラクタ文字や別の標識５２ｂを形成するための図６に示したのと同様の回路によって操作することも可能である。
【００２８】
図８、９及び１０に示した実施形態など本発明の実施形態では、キー自体の上に永続的なデフォルトのインジケータを配置させることがあることを理解されたい。
【００２９】
図１１は、接触感知式オーバーレイ６２をディスプレイ６０の上に重ね合わせて標識５２ｂを形成する同様の構造をもつＬＣＤ６０その他のディスプレイなどの電子式ディスプレイを備えた本発明の別の実施形態を表している。ユーザインタフェース・デバイス１０Ｆは、ユーザが透明な接触感知式オーバーレイ６２を通して観察し得るディスプレイ６０によって規定されかつ投射されている。ＬＣＤ６０は、複数のキーのアウトライン６４を規定することによってユーザ入力デバイスが１つの標準キーボードとして表出されるように適当なサブストレート上に取り付けられる。接触感知式オーバーレイ６２の一部はキーボードの表示形態と相関している。接触感知式オーバーレイ６２は典型的には圧力応答性の接触感知式オーバーレイとすることがあるが、接触感知式オーバーレイは、容量検知、熱検出、または相対位置検出（ただし、これらに限らない）などの別の多くの技法を用いて操作することもあることを理解されたい。
【００３０】
操作の際に、図示したキーボードの各離散的位置またはキー６４／インジケータ２８は、タッチスクリーン６２の重ね合わせ部分を作動させたときに入力されることになるデータまたは機能を示す変更可能な標識をＬＣＤ６０に表示する。キーまたはインジケータ２８向けのＬＣＤ６０によって形成させた標識５２ｂの内容は図６の回路によって変更することができる。
【００３１】
図１１では説明を容易にするためにＬＣＤ６０を分離して示しているが、所望であればこれらを単一の構造または層に一体化することもできることが理解されよう。
【００３２】
明示的に記述した以外に別の等価形態、代替形態及び修正形態が可能であり、これらも本特許請求の範囲の域内にあることを理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００３３】
【図１】変更可能標識を備えたインタフェース・デバイスを組み込んでいる製作物を成した本発明の装置の一実施形態を表した図である。
【図２】本装置のインタフェース部分の詳細図である。
【図３】本装置のインタフェース部分の別の詳細図である。
【図４】図２の線４−４に沿って切った断面図である。
【図５ａ】本発明の装置に使用できる電子インク・テクノロジーの原理を表した概要図である。
【図５ｂ】本発明の装置に使用できる電子インク・テクノロジーの原理を表した概要図である。
【図６】本発明の製作物での使用に適した制御回路の図である。
【図７】一修正形態を表した図４と同様の図である。
【図８】別の修正形態の部分図である。
【図９】別の実施形態の部分図である。
【図１０】さらに別の実施形態の詳細図である。
【図１１】本発明のさらに別の実施形態の詳細図である。
【符号の説明】
【００３４】
１０  ユーザ入力デバイス／キーボード
１０Ａ  ユーザ入力デバイス／キーボード
１０Ｂ  ユーザ入力デバイス／キーボード
１０Ｃ  ユーザ入力デバイス／キーボード
１０Ｄ  ユーザ入力デバイス／キーボード
１０Ｅ  ユーザ入力デバイス／キーボード
１０Ｆ  ユーザ入力デバイス／キーボード
１２  製作物／心電計
１４  ディスプレイ
１６  心電図
２０  英数字キー
２２  補助キー
２４  カーソル制御キー
２６  機能制御キー
２８  キーボードパネル・インジケータ
４２  スイッチ
４２ａ  押しボタンスイッチ
４２ｂ  押しボタンスイッチ
４４  ベース／サブストレート
４４ａ  ベース／サブストレート
４６  導体
４８  電子インク薄膜
５０  保護層
５２  標識
５２ａ  標識
５２ｂ  標識
６０  液晶ディスプレイ
６２  接触感知式オーバーレイ
６４  キー・アウトライン
７２  インク・マイクロカプセル
７４  薄膜トランジスタ
７６  薄膜トランジスタ
８２  インク
８４  チャージされたチップ
８６  読出し専用メモリ
８８  デフォルト手段
９０  ＣＰＵ
９２  構成選択手段
【図１】
2007280386.tif 000003
【図２】
2007280386.tif 000004
【図３】
2007280386.tif 000005
【図４】
2007280386.tif 000006
【図５ａ】
2007280386.tif 000007
【図５ｂ】
2007280386.tif 000008
【図６】
2007280386.tif 000009
【図７】
2007280386.tif 000010
【図８】
2007280386.tif 000011
【図９】
2007280386.tif 000012
【図１０】
2007280386.tif 000013
【図１１】
2007280386.tif 000014